(57)【要約】【課題】本発明の目的は、サーキュレーション効果を高めることができる空調室内機を提供することである。【解決手段】  空調室内機１０は、熱交換された空気を吹き出す吹出口１５と、吹出口１５から吹出される空気の気流の左右方向の角度を調節するための角度調節羽根２０と、空調対象空間の空気を循環させるサーキュレーション気流モードを含むモードを受け付けるモード受付部８１と、モード受付部８１がサーキュレーション気流モードを受け付けると、吹出口１５の左側部分から吹き出される空気の平面視方向と、吹出口１５の右側部分から吹き出される空気の平面視方向とが吹出口１５の前方において交差するように角度調節羽根２０を制御する角度調節羽根制御部８０と、を備える。【選択図】図８
2014105896.tif 000002
【特許請求の範囲】
【請求項１】
熱交換された空気を吹き出す吹出口（１５）と、
前記吹出口から吹出される空気の気流の左右方向の角度を調節するための角度調節羽根（２０）と、
空調対象空間の空気を循環させるサーキュレーション気流モードを含むモードを受け付けるモード受付部（８１）と、
前記モード受付部が前記サーキュレーション気流モードを受け付けると、前記吹出口の左側部分から吹き出される空気の平面視方向と、前記吹出口の右側部分から吹き出される空気の平面視方向とが前記吹出口の前方において交差するように前記角度調節羽根を制御する角度調節羽根制御部（８０）と、
を備える、空調室内機。
【請求項２】
前記角度調節羽根制御部は、前記吹出口の左側部分の少なくとも一部の角度調節羽根及び右側部分の少なくとも一部の角度調節羽根を、前記平面視における正面方向を基準としてそれぞれ左右に所定角度に制御することで、前記吹出口の中央部分において前記左側部分の角度調節羽根及び前記右側部分の角度調節羽根を介した空気を合流させる、請求項２に記載の空調室内機。
【請求項３】
前記所定角度は５°〜１０°である、請求項２に記載の空調室内機。
【請求項４】
前記モードには左右風向自動モード及びユーザが左右の風向を指定する左右風向ユーザ設定モードがさらに含まれ、
前記モード受付部が前記サーキュレーション気流モード及び前記左右風向自動モードを受け付けると、前記角度調節羽根制御部は、前記左側部分の角度調節羽根からの空気と前記右側部分の角度調節羽根からの空気とが前記吹出口の前方において交差するように前記角度調節羽根を制御する、請求項１に記載の空調室内機。
【請求項５】
前記空調室内機の初期設定時に、前記サーキュレーション気流モードにおいて、前記角度調節羽根制御部が前記左側部分の角度調節羽根からの空気と前記右側部分の角度調節羽根からの空気とが前記吹出口の前方において交差するように前記角度調節羽根を制御するか否かの設定を受け付ける初期設定部（８２）をさらに備える、請求項１に記載の空調室内機。
【請求項６】
前記初期設定部は、前記空調室内機が設置される空調対象空間の形状に応じて前記角度調節羽根を制御するか否かの設定を受け付ける、請求項５に記載の空調室内機。
【発明の詳細な説明】
【技術分野】
【０００１】
本発明は、空調室内機に関する。
【背景技術】
【０００２】
特許文献１（特開２００９−５８２２０号公報）では、空調室内機から吹き出した冷気を天井壁、吹出口１５に対向する壁面、床面、吹出口１５側の壁面に順次伝わせた後、空調室内機の吸込口から空気を吸い込ませて部屋内を空気調和している。
【発明の概要】
【発明が解決しようとする課題】
【０００３】
特許文献１では、空気は天井壁を伝わって吹出口１５に対向する壁面に伝わることを前提としているが、部屋が大きい場合及び吹出口１５からの風量が不十分な場合などには空気を天井壁を伝わせた後、吹出口１５に対向する壁面に到達させることができない。このような場合には、部屋内全体の空気を循環させて概ね均一に空気調和するサーキュレーション効果を得ることができない。
【０００４】
そこで、本発明の目的は、サーキュレーション効果を高めることができる空調室内機を提供することである。
【課題を解決するための手段】
【０００５】
本発明の第１観点に係る空調室内機は、吹出口と、角度調節羽根と、モード受付部と、角度調節羽根制御部と、を備える。吹出口は熱交換された空気を吹き出す。角度調節羽根は、吹出口から吹出される空気の気流の左右方向の角度を調節する。モード受付部は、空調対象空間の空気を循環させるサーキュレーション気流モードを含むモードを受け付ける。角度調節羽根制御部は、モード受付部がサーキュレーション気流モードを受け付けると、吹出口の左側部分から吹き出される空気の平面視方向と、吹出口の右側部分から吹き出される空気の平面視方向とが吹出口の前方において交差するように角度調節羽根を制御する。
【０００６】
これにより、吹出口の中央部分の風量を大きくし、空調対象空間の吹出口に対向する奥側にまで、熱交換された空気を到達させることができる。よって、空調対象空間の空気を循環させて概ね均一に空気調和してサーキュレーション効果を高めることができる。
【０００７】
本発明の第２観点に係る空調室内機は、第１観点に係る空調室内機において、角度調節羽根制御部は、吹出口の左側部分の少なくとも一部の角度調節羽根及び右側部分の少なくとも一部の角度調節羽根を、平面視における正面方向を基準としてそれぞれ左右に所定角度に制御することで、吹出口の中央部分において左側部分の角度調節羽根及び右側部分の角度調節羽根を介した空気を合流させる。
【０００８】
これにより、吹出口の中央部分の風量を大きくし、サーキュレーション効果を高めることができる。
【０００９】
本発明の第３観点に係る空調室内機は、第２観点に係る空調室内機において、所定角度は５°〜１０°である。
【００１０】
これにより、左右の角度調節羽根に沿った空気が互いに干渉して打ち消し合うのを抑制しつつ、空気を吹出口の中央部分において合流させて風量を大きくすることができる。
【００１１】
本発明の第４観点に係る空調室内機は、第１観点に係る空調室内機において、モードには左右風向自動モード及びユーザが左右の風向を指定する左右風向ユーザ設定モードがさらに含まれる。モード受付部がサーキュレーション気流モード及び左右風向自動モードを受け付けると、角度調節羽根制御部は、左側部分の角度調節羽根からの空気と右側部分の角度調節羽根からの空気とが吹出口の前方において交差するように角度調節羽根を制御する。
【００１２】
これにより、ユーザによる左右風向の指定を優先してユーザ満足度を維持しつつ、少なくともサーキュレーション気流モード及び左右風向自動モードの際にはサーキュレーション効果を高めることができる。
【００１３】
本発明の第５観点に係る空調室内機は、第１観点に係る空調室内機において、初期設定部をさらに備える。初期設定部は、空調室内機の初期設定時に、サーキュレーション気流モードにおいて、角度調節羽根制御部が左側部分の角度調節羽根からの空気と右側部分の角度調節羽根からの空気とが吹出口の前方において交差するように角度調節羽根を制御するか否かの設定を受け付ける。
【００１４】
これにより、空調室内機の設定の自由度を高めつつ、サーキュレーション効果を高めることができる。
【００１５】
本発明の第６観点に係る空調室内機は、第５観点に係る空調室内機において、初期設定部は、空調室内機が設置される空調対象空間の形状に応じて角度調節羽根を制御するか否かの設定を受け付ける。
【００１６】
これにより、空調室内機の設定の自由度を高めつつ、空調対象空間の奥側にまで空気を到達させてサーキュレーション効果を高めることができる。
【発明の効果】
【００１７】
本発明の第１観点に係る空調室内機では、サーキュレーション効果を高めることができる。
【００１８】
本発明の第２観点〜第３観点に係る空調室内機では、吹出口の中央部分の風量を大きくし、サーキュレーション効果を高めることができる。
【００１９】
本発明の第４観点に係る空調室内機では、ユーザ満足度を維持しつつ、サーキュレーション効果を高めることができる。
【００２０】
本発明の第５観点〜第６観点に係る空調室内機では、空調室内機の設定の自由度を高めつつ、サーキュレーション効果を高めることができる。
【図面の簡単な説明】
【００２１】
【図１】本発明の一実施形態に係る運転停止時の空調室内機１０の断面図である。
【図２】運転時の空調室内機１０の断面斜視図である。
【図３】角度調節羽根を空調室内機１０の前面側から見た場合の模式図である。
【図４】制御部の機能構成及びハードウェア構成を示すブロック図である。
【図５】サーキュレーション気流モードにおける水平フラップ３１及びコアンダ羽根３２の側面図である。
【図６】吹出空気の方向およびコアンダ気流の方向を示す概念図である。
【図７】吹出空気の方向およびコアンダ気流の方向を示す概念図である。
【図８】角度調節羽根制御部８０による角度調節羽根２０の制御の様子を示す説明図である。
【図９】角度調節羽根の制御における動作を示すフローチャートの一例である。
【発明を実施するための形態】
【００２２】
以下、図面を参照しながら、本発明の実施形態について説明する。なお、以下の実施形態は、本発明の具体例であって、本発明の技術的範囲を限定するものではない。
【００２３】
（１）空調室内機１０の外観構成
（１−１）全体構成
図１は、本発明の一実施形態に係る運転停止時の空調室内機１０の断面図である。また、図２は、運転時の空調室内機１０の断面斜視図である。図１及び図２において、空調室内機１０は壁掛けタイプであり、本体ケーシング１１、室内熱交換器１３、室内ファン１４、底フレーム１６、及び制御部４０が搭載されている。
【００２４】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２５】
天面部１１ａは、本体ケーシング１１の上部に位置し、天面部１１ａの前部には、吸込口（図示せず）が設けられている。
【００２６】
前面パネル１１ｂは本体ケーシング１１の前面部を構成しており、吸込口がないフラットな形状を成している。また、前面パネル１１ｂは、その上端が天面部１１ａに回動自在に支持され、ヒンジ式に動作することができる。
【００２７】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００２８】
本体ケーシング１１の下部には、吹出口１５が設けられている。吹出口１５には、吹出口１５から吹き出される吹出空気の方向を変更する水平フラップ３１が回動自在に取り付けられている。水平フラップ３１は、モータ（図示せず）によって駆動され、吹出空気の方向を変更するだけでなく、吹出口１５を開閉することもできる。水平フラップ３１は、傾斜角が異なる複数の姿勢をとることが可能である。
【００２９】
また、吹出口１５の近傍にはコアンダ羽根３２が設けられている。コアンダ羽根３２は、モータ（図示せず）によって駆動され前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００３０】
また、吹出口１５は、吹出流路１８によって本体ケーシング１１の内部と繋がっている。吹出流路１８は、吹出口１５から底フレーム１６のスクロール１７に沿って形成されている。
【００３１】
室内空気は、室内ファン１４の稼動によって吸込口、室内熱交換器１３を経て室内ファン１４に吸い込まれ、室内ファン１４から吹出流路１８を経て吹出口１５から吹き出される。
【００３２】
制御部４０は、例えば本体ケーシング１１を前面パネル１１ｂ側から視て室内熱交換器１３及び室内ファン１４の右側方に位置しており、室内ファン１４の回転数制御、水平フラップ３１及びコアンダ羽根３２の動作制御を行う。
【００３３】
また、天面部１１ａと室内熱交換器１３との間にはフィルタ清掃装置７０が配置されており、フィルタ７１に付着した塵埃を自動で除去することができる。
【００３４】
（１−２）各部の構成
（ａ）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３５】
（ｂ）吹出口１５
図１及び図２に示すように、吹出口１５は、本体ケーシング１１の下部に設けられており、横方向（図１紙面と直交する方向）を長辺とする長方形の開口である。吹出口１５の下端は下部水平板１１ｄの前方エッジに近接しており、吹出口１５の下端と上端とを結ぶ仮想面は前方上向きに傾斜している。
【００３６】
（ｃ）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。
【００３７】
（ｄ）角度調節羽根２０
角度調節羽根２０は、図１及び図２に示すように、複数の羽根片２０１と、複数の羽根片２０１を連結する連結棒２０３とを有している。また、角度調節羽根２０は、吹出流路１８において、水平フラップ３１よりも室内ファン１４近傍に配置されている。
【００３８】
角度調節羽根２０について図３を用いてより詳細に説明する。図３は角度調節羽根を空調室内機１０の前面側から見た場合の模式図である。角度調節羽根２０の各羽根片２０１は、吹出口１５の長手方向であるＷ方向に沿って配置されている。図３では、全ての羽根片２０１の平面がＷ方向と概ね直交する方向に向いている。角度調節羽根２０は、空調室内機１０の前面から見て左側に位置する左側角度調節羽根２０Ｌと、右側に位置する右側角度調節羽根２０Ｒと、を含む。左側角度調節羽根２０Ｌは複数の左側羽根片２０１Ｌを含み、右側角度調節羽根２０Ｒは複数の右側羽根片２０１Ｒを含む。連結棒２０３もまた左側連結棒２０３Ｌと右側連結棒２０３Ｒとを含む。左側角度調節羽根２０Ｌの各左側羽根片２０１Ｌは左側接続点ＣＬを介して左側連結棒２０３Ｌに連結されており、右側角度調節羽根２０Ｒの各右側羽根片２０１Ｒは右側接続点ＣＲを介して右側連結棒２０３Ｒに連結されている。
【００３９】
本体ケーシング１１の左側端面１１ｅには左側角度調節羽根２０Ｌを駆動させる左側駆動モータ５０Ｌが設けられている。左側連結棒２０３Ｌの本体ケーシング１１側の端部と左側駆動モータ５０Ｌの出力軸とが連結されている。左側駆動モータ５０Ｌは例えばステッピングモータで構成されており、制御部４０から与えられるパルス数に応じて回転する。左側角度調節羽根２０Ｌの各左側羽根片２０１Ｌには、図１及び図３に示す左側回動軸ＰＬが設けられている。よって、左側角度調節羽根２０Ｌの各左側羽根片２０１Ｌは、左側駆動モータ５０Ｌの駆動に応じて左側回動軸ＰＬを中心として左右に回動される。同様に、本体ケーシング１１の右側端面１１ｆには右側角度調節羽根２０Ｒを駆動させる右側駆動モータ５０Ｒが設けられている。右側連結棒２０３Ｒの本体ケーシング１１側の端部と右側駆動モータ５０Ｒの出力軸とが連結されている。右側角度調節羽根２０Ｒの各右側羽根片２０１Ｒは右側駆動モータ５０Ｒの駆動に応じて右側回動軸ＰＲを中心として左右に回動される。このように左側角度調節羽根２０Ｌ及び右側角度調節羽根２０Ｒはそれぞれ左側駆動モータ５０Ｌ及び右側駆動モータ５０Ｒそれぞれにより独立に駆動可能である。
【００４０】
このような左側角度調節羽根２０Ｌ及び右側角度調節羽根２０Ｒの回動により、左右風向が制御された気流が吹出口１５から吹き出される。
【００４１】
（ｅ）水平フラップ３１
水平フラップ３１は、図１及び図２に示すように、円弧状の部材である。水平フラップ３１は、凸状の外側湾曲面を含む外側面３１ａと、凹状の内側湾曲面を含む内側面３１ｂを有している。
【００４２】
水平フラップ３１は、吹出口１５を塞ぐことができる程度の面積を有している。水平フラップ３１が吹出口１５を閉じた状態において、その外側面３１ａは前面パネル１１ｂの曲面の延長上にあるような外側に凸のなだらかな円弧曲面に仕上げられている。また、水平フラップ３１の内側面３１ｂ（図２参照）も、外面にほぼ平行な円弧曲面を成している。
【００４３】
水平フラップ３１は、下端部に回動軸３１１を有している。回動軸３１１は、吹出口１５の下端近傍で、本体ケーシング１１に固定されているステッピングモータ（図示せず）の回転軸に連結されている。ステッピングモータの駆動に応じて水平フラップ３１が回転軸を中心として回動し、吹出口１５が開閉される。
【００４４】
水平フラップ３１が吹出口１５を開けている状態において、吹出口１５から吹き出された吹出空気は、水平フラップ３１の内側面３１ｂに概ね沿って流れる。すなわち、スクロール１７の終端Ｆの接線方向に概ね沿って吹き出された吹出空気は、その風向が水平フラップ３１によってやや上向きに変更される。
【００４５】
（ｆ）コアンダ羽根３２
コアンダ羽根３２は、図１及び図２に示すように、断面形状が円弧状の部材である。コアンダ羽根３２は、凸状の外側湾曲面を含む外側面３２ａと、凹状の内側湾曲面を含む内側面３２ｂを有している。
【００４６】
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が収容部１３０から離れるほど、コアンダ羽根３２の下端の高さ位置は低くなるように回転する。また、コアンダ羽根３２が回転して開いたときの傾斜は本体ケーシング１１の前面部の傾斜よりも緩やかである。
【００４７】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００４８】
また、回動軸３２１が図１正面視反時計方向に回動することによって、コアンダ羽根３２の上端および下端ともに円弧を描きながら収容部１３０から離れるが、そのとき、コアンダ羽根３２の上端と吹出口１５より上方の収容部１３０との最短距離は、下端と収容部１３０との最短距離より大きい。すなわち、コアンダ羽根３２は前方に行くにしたがって前記室内機前面部から離れるような姿勢に制御される。そして、回動軸３２１が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００４９】
また、コアンダ羽根３２の長手方向の寸法は、水平フラップ３１の長手方向の寸法以上となるように設定されている。この理由は水平フラップ３１で風向調節された吹出空気すべてをコアンダ羽根３２で受けるためであり、その目的はコアンダ羽根３２の側方からの吹出空気がショートサーキットすることを防止することである。
【００５０】
（２）空調室内機１０のハードウェア構成及び機能構成
制御部４０は、空調対象空間の空気を循環させて概ね均一に空気調和してサーキュレーション効果を高めるための制御を行う。制御部４０の機能構成及びハードウェア構成について図４を用いて以下に説明する。図４は制御部の機能構成及びハードウェア構成を示すブロック図である。
【００５１】
制御部４０は、ＣＰＵ（Central Processing Unit）６０、ＲＡＭ（Random Access Memory）６１及びＲＯＭ（Read Only Memory）６２を有している。
【００５２】
（２−１）ＲＯＭ６２
ＲＯＭ６２は、空調室内機１０の全体を制御するための制御プログラム８８を格納している。
【００５３】
（２−２）ＲＡＭ６１
ＲＡＭ６１は、調節角度記憶部８５、モード記憶部８６及び初期設定記憶部８７を含む。
【００５４】
調節角度記憶部８５は、角度調節羽根制御部８０により制御された左側角度調節羽根２０Ｌ及び右側角度調節羽根２０Ｒのそれぞれの調節角度を記憶している。
【００５５】
モード記憶部８６は、モード受付部８１が受け付けたモードを記憶している。モードには、サーキュレーション気流モード、左右風向自動モード及び左右風向ユーザ設定モードが含まれる。サーキュレーション気流モードは、水平フラップ３１、コアンダ羽根３２及び角度調節羽根２０を用いて吹出口１５から吹き出される空気の流れを制御し、空調対象空間の空気を循環させるモードである。左右風向自動モードは、角度調節羽根２０が自動で左右に回動されて左右風向が調節されるモードである。左右風向ユーザ設定モードは、リモコン等を介してユーザが指定した左右風向に基づいて角度調節羽根２０の角度が調節されるモードである。その他、モードには、水平フラップ３１を自動で上下させる水平フラップ自動モード、ユーザの指定により水平フラップ３１を上下させる水平フラップユーザ設定モード等が含まれていてもよい。
【００５６】
初期設定記憶部８７は、サーキュレーション気流モードにおいて角度調節羽根２０の特定の制御を行うか否かの初期設定を初期設定部８２が受け付けると、その初期設定を記憶する。
【００５７】
（２−３）ＣＰＵ６０
ＣＰＵ６０は、角度調節羽根制御部８０、モード受付部８１、初期設定部８２、水平フラップ制御部８３及びコアンダ羽根制御部８４を含む。
【００５８】
（ａ）初期設定部８２
初期設定部８２は、角度調節羽根２０の特定の制御を行うか否かの初期設定を例えばサービスマンから受け付ける。なお、特定の制御とは、サーキュレーション効果を高めることができる制御をいうものとする。
【００５９】
例えば、空調室内機１０の設置時に、設置すべき空調対象空間が角度調節羽根２０の制御がなくてもサーキュレーション効果を高めることができる空間であれば、角度調節羽根制御部８０による特定の制御を行う必要はない。この場合、初期設定部８２は、サービスマンから角度調節羽根制御部８０による特定の制御を行わないとの初期設定を受け付ける。逆に、空調対象空間が角度調節羽根２０の特定の制御がなければサーキュレーション効果を高めることができない空間であれば、初期設定部８２は、サービスマンから角度調節羽根制御部８０による特定の制御を行うとの初期設定を受け付ける。
【００６０】
ここで、サーキュレーション効果を高めることができない空間か否かは、例えば空調室内機１０が設置される空調対象空間の形状に基づいている。例えば、空調対象空間の吹出口１５に対向する奥側までの距離が短い場合には、角度調節羽根２０の特定の制御がなくても空調対象空間の奥側にまで空気を到達させることが容易である。よって、初期設定部８２は、サービスマンから角度調節羽根制御部８０による特定の制御を行わないとの初期設定とを受け付ける。逆に、空調対象空間の吹出口１５に対向する奥側までの距離が長い場合には、角度調節羽根２０の特定の制御がなければ空調対象空間の奥側にまで空気を到達させることが困難である。この場合、初期設定部８２は、サービスマンから角度調節羽根制御部８０による角度調節羽根２０の特定の制御を行うとの初期設定を受け付ける。
【００６１】
このような初期設定によって、サーキュレーション効果を高めることができる角度調節羽根２０の特定の制御の可否を予め設定することができる。
【００６２】
（ｂ）モード受付部８１
モード受付部８１は、ユーザからリモコン等（図示せず）を介して、サーキュレーション気流モード、左右風向自動モード及び左右風向ユーザ設定モードなどの各種モードを受け付ける。
【００６３】
（ｃ）水平フラップ制御部８３、コアンダ羽根制御部８４
水平フラップ制御部８３は水平フラップ３１の上下を制御する。コアンダ羽根制御部８４はコアンダ羽根３２の上下を制御する。特に、サーキュレーション気流モードにおいては、コアンダ効果を利用した「コアンダ気流天井吹き」が用いられている。ここで、コアンダ（効果）とは、気体や液体の流れのそばに壁があると、流れの方向と壁の方向とが異なっていても、壁面に沿った方向に流れようとする現象である（朝倉書店「法則の辞典」）。このようなコアンダ効果を利用モードしたモードには、空気の流れを天井に向かわせる「コアンダ気流天井吹き」が含まれる。
【００６４】
以下、モード受付部８１がサーキュレーション気流モードを受け付けた場合の水平フラップ制御部８３及びコアンダ羽根制御部８４の制御について図５〜図７を用いて説明する。図５は、サーキュレーション気流モードにおける水平フラップ３１及びコアンダ羽根３２の側面図である。図６、図７は、吹出空気の方向およびコアンダ気流の方向を示す概念図である。
【００６５】
サーキュレーション気流モードでは、水平フラップ制御部８３及びコアンダ羽根制御部８４は空気の気流を「コアンダ気流天井吹き」に制御する。例えば、水平フラップ制御部８３は、水平フラップ３１の内側面３１ｂの前方端Ｅ１における接線Ｌ１が水平になるまで水平フラップ３１を回動させる。また、コアンダ羽根制御部８４は、コアンダ羽根３２の外側面３２ａの前方端Ｅ２における接線Ｌ２が前方上向きとなるまでコアンダ羽根３２を回動させる。このとき、水平フラップ３１で水平吹きに調整された吹出空気は、コアンダ効果によってコアンダ羽根３２の外側面３２ａに付着した流れとなり、この外側面３２ａに沿ったコアンダ気流に変わる。したがって、水平フラップ３１の内側面３１ｂの前方端Ｅ１における接線Ｌ１方向が前方吹きであっても、コアンダ羽根３２の外側面３２ａの前方端Ｅ２における接線Ｌ２方向が前方上吹きとなる。つまり、図６に示すように、吹出口１５から吹き出された吹出空気は、水平フラップ３１によって方向Ｄ１に変更された後、さらにコアンダ効果によって方向Ｄ２に変更される。これにより吹出空気は図７に示すように天井方向に吹き出される。
【００６６】
（ｄ）角度調節羽根制御部８０
角度調節羽根制御部８０は、初期設定部８２が特定の制御を行うとの初期設定を受け付けており、モード受付部８１がサーキュレーション気流モード及び左右風向自動モードを受け付けると、サーキュレーション効果を高めるための角度調節羽根２０の特定の制御を行う。つまり、角度調節羽根制御部８０は、吹出口１５の左側部分から吹き出される空気の平面視方向と、吹出口１５の右側部分から吹き出される空気の平面視方向とが吹出口１５の前方において交差するように角度調節羽根２０を制御する。
【００６７】
角度調節羽根制御部８０による角度調節羽根２０の特定の制御について図８を用いてさらに説明する。図８は角度調節羽根制御部８０による角度調節羽根２０の制御の様子を示す説明図である。
【００６８】
上述した通り、角度調節羽根２０は空調室内機１０の前面から見て左側に位置する左側角度調節羽根２０Ｌと、右側に位置する右側角度調節羽根２０Ｒと、を含む。角度調節羽根制御部８０は、左側角度調節羽根２０Ｌ及び右側角度調節羽根２０Ｒをそれぞれ独立に制御する。具体的には、角度調節羽根制御部８０は、左側角度調節羽根２０Ｌを、正面方向ＤＦを基準として反時計回りにθ１の角度となるように回動させる。一方、角度調節羽根制御部８０は、右側角度調節羽根２０Ｒを、正面方向ＤＦを基準として時計回りにθ２の角度となるように回動させる。これにより、左側角度調節羽根２０Ｌ及び右側角度調節羽根２０Ｒは互いに向き合うように回動される。よって、サーキュレーション気流モードでは、吹出口１５の左側角度調節羽根２０Ｌに沿って流れる空気と、吹出口１５の右側角度調節羽根２０Ｒに沿って流れる空気とが吹出口１５の平面視方向の中央部分において合流する。これにより、吹出口１５の中央部分の風量を大きくし、空調対象空間の吹出口１５に対向する奥側にまで、熱交換された空気を到達させることができる。よって、空調対象空間の空気を循環させて概ね均一に空気調和し、サーキュレーション効果を高めることができる。
【００６９】
ここで、θ１及びθ２の角度は５°〜１０°が好ましい。左側角度調節羽根２０Ｌ及び右側角度調節羽根２０Ｒを回動させる角度を５°〜１０°とすることで、左右の角度調節羽根２０に沿った空気が互いに干渉して打ち消し合うのを抑制しつつ、空気を吹出口１５の平面視方向の中央部分において合流させて風量を大きくすることができる。
【００７０】
なお、角度調節羽根制御部８０は、モード受付部８１が左右風向ユーザ設定モードを受け付けている場合には、ユーザからの指示に基づいて角度調節羽根２０の角度を調節する。これにより、ユーザが所望する左右風向で吹出口１５から空気が吹き出される。よって、ユーザによる左右風向の指定を優先してユーザ満足度を維持しつつ、少なくともサーキュレーション気流モード及び左右風向自動モードの際には上述のようにサーキュレーション効果を高めることができる。
【００７１】
（３）動作
次に角度調節羽根の制御について図９を用いて説明する。図９は角度調節羽根の制御における動作を示すフローチャートの一例である。
【００７２】
ステップＳ１０：角度調節羽根制御部８０は、サーキュレーション効果を高めることができる特定の制御を行うとの初期設定を初期設定部８２が受け付けているか否かを確認する。特定の制御とは、サーキュレーション効果を高めるために、角度調節羽根制御部８０が角度調節羽根２０の角度を調節する制御を言う。
【００７３】
ステップＳ１１：角度調節羽根制御部８０は、角度調節羽根２０の特定の制御を行う場合にはステップＳ１２を実行する。そうでない場合は終了する。
【００７４】
ステップＳ１２：角度調節羽根制御部８０は、モード受付部８１がサーキュレーション気流モードを受け付けているか否かを判断する。モード受付部８１がサーキュレーション気流モードを受け付けている場合には、角度調節羽根制御部８０はステップＳ１３を実行する。そうでない場合は終了する。
【００７５】
ステップＳ１３：角度調節羽根制御部８０は、モード受付部８１が左右風向自動モードを受け付けているか否かを判断する。モード受付部８１が左右風向自動モードを受け付けている場合には、角度調節羽根制御部８０はステップＳ１４を実行する。そうでない場合は終了する。
【００７６】
ステップＳ１４：角度調節羽根制御部８０は、吹出口１５の左側部分から吹き出される空気の平面視方向と、吹出口１５の右側部分から吹き出される空気の平面視方向とが吹出口１５の前方において交差するように角度調節羽根２０を制御する。
【００７７】
なお、ステップＳ１２，１３は順不同であってもよい。
【００７８】
（４）特徴
（４−１）
角度調節羽根制御部８０は、モード受付部８１がサーキュレーション気流モードを受け付けると、吹出口１５の左側部分から吹き出される空気の平面視方向と、吹出口１５の右側部分から吹き出される空気の平面視方向とが吹出口１５の前方において交差するように角度調節羽根２０を制御する。これにより、サーキュレーション気流モードでは、左側角度調節羽根２０Ｌに沿って流れる空気と、右側角度調節羽根２０Ｒに沿って流れる空気とが吹出口１５の中央部分において合流する。よって、吹出口１５の中央部分の風量を大きくし、空調対象空間の吹出口１５に対向する奥側にまで、熱交換された空気を到達させることができる。よって、空調対象空間の空気を循環させて概ね均一に空気調和し、サーキュレーション効果を高めることができる。
【００７９】
（４−２）
角度調節羽根制御部８０は、吹出口１５の左側部分の少なくとも一部の左側角度調節羽根２０Ｌ及び右側部分の少なくとも一部の右側角度調節羽根２０Ｒを、平面視における正面方向を基準としてそれぞれ左右に所定角度に制御することで、吹出口１５の中央部分において左側角度調節羽根２０Ｌ及び右側角度調節羽根２０Ｒを介した空気を合流させる。
【００８０】
左側角度調節羽根２０Ｌ及び右側角度調節羽根２０Ｒの角度を制御することで、左右の角度調節羽根２０Ｌ、２０Ｒに沿った空気を吹出口１５の中央部分において合流させることができる。よって、吹出口１５の中央部分の風量を大きくし、サーキュレーション効果を高めることができる。
【００８１】
（４−３）
角度調節羽根２０を傾ける角度を５°〜１０°とすることで、左右の角度調節羽根２０Ｌ、２０Ｒに沿った空気が互いに干渉して打ち消し合うのを抑制しつつ、空気を吹出口１５の中央部分において合流させて風量を大きくすることができる。
【００８２】
（４−４）
角度調節羽根制御部８０は、モード受付部８１が左右風向ユーザ設定モードを受け付けている場合には、ユーザが所望する左右風向で吹出口１５から空気を吹き出す。モード受付部８１が左右風向自動モードを受け付けている場合、ユーザは吹出口１５から任意の左右風向で空気を吹き出すことを許容している。よって、サーキュレーション気流モード及び左右風向自動モードが選択されている場合には、角度調節羽根制御部８０は、吹出口１５の中央部分の風量を大きくするために左右の角度調節羽根２０Ｌ、２０Ｒを制御する。よって、ユーザによる左右風向の指定を優先してユーザ満足度を維持しつつ、少なくともサーキュレーション気流モード及び左右風向自動モードの際にはサーキュレーション効果を高めることができる。
【００８３】
（４−５）
初期設定部８２は、空調室内機１０の初期設定時に、サーキュレーション気流モードにおいて、角度調節羽根制御部８０が左側角度調節羽根２０Ｌからの空気と右側角度調節羽根２０Ｒからの空気とが吹出口１５の前方において交差するように角度調節羽根２０を制御するか否かの設定を受け付ける。
【００８４】
例えば、空調室内機１０の設置時に、設置すべき空調対象空間が角度調節羽根２０の制御がなくてもサーキュレーション効果を高めることができる空間であれば、角度調節羽根制御部８０による制御を行う必要はない。この場合、初期設定部８２は、例えばサービスマンから角度調節羽根制御部８０による制御を行わないことを受け付ける。逆に、空調対象空間が角度調節羽根２０の制御がなければサーキュレーション効果を高めることができない空間であれば、初期設定部８２は、例えばサービスマンから角度調節羽根制御部８０による制御を行うことを受け付ける。これにより空調室内機１０の設定の自由度を高めつつ、サーキュレーション効果を高めることができる。
【００８５】
（４−６）
初期設定部８２は、空調室内機１０が設置される空調対象空間の形状に応じて角度調節羽根２０を制御するか否かの設定を受け付ける。
【００８６】
例えば、空調対象空間の吹出口１５に対向する奥側までの距離が短い場合には、角度調節羽根２０の制御がなくても空調対象空間の奥側にまで空気を到達させることが容易である。よって、初期設定部８２は、例えばサービスマンから角度調節羽根制御部８０による制御を行わないことを受け付ける。逆に、空調対象空間の吹出口１５に対向する奥側までの距離が長い場合には、初期設定部８２は、例えばサービスマンから角度調節羽根制御部８０による角度調節羽根２０の制御を行うことを受け付ける。これにより、空調室内機１０の設定の自由度を高めつつ、空調対象空間の奥側にまで空気を到達させてサーキュレーション効果を高めることができる。
【００８７】
（５）変形例
（５−１）変形例１Ａ
上記実施形態のサーキュレーション気流モードでは、水平フラップ３１、コアンダ羽根３２及び角度調節羽根２０を制御することにより空調対象空間の空気を循環させる。しかし、水平フラップ３１及び角度調節羽根２０のみを用いてサーキュレーション気流モードを達成させてもよいし、コアンダ羽根３２及び角度調節羽根２０のみを用いてサーキュレーション気流モードを達成させてもよい。あるいは、水平フラップ３１及びコアンダ羽根３２が設けられておらず、吹出口１５及び角度調節羽根２０が設けられている空調室内機１０において、角度調節羽根２０のみを用いてサーキュレーション気流モードを達成させてもよい。
【００８８】
（５−２）変形例１Ｂ
上記実施形態では、初期設定部８２が角度調節羽根２０の特定の制御を行うとの初期設定を受け付け、かつ、モード受付部８１がサーキュレーション気流モード及び左右風向自動モードを受け付けた場合に、角度調節羽根制御部８０は角度調節羽根２０の特定の制御を行う。しかし、角度調節羽根制御部８０は、初期設定の有無にかかわらず、モード受付部８１がサーキュレーション気流モード及び左右風向自動モードを受け付けた場合に、角度調節羽根２０の特定の制御を行ってもよい。また、角度調節羽根制御部８０は、単にモード受付部８１がサーキュレーション気流モードを受け付ければ、初期設定の有無にかかわらず、かつ左右風向自動モードであるか左右風向ユーザ設定モードであるかにかかわらず、特定の制御を行ってもよい。
【００８９】
（５−３）変形例１Ｃ
上記実施形態では、角度調節羽根２０を左側角度調節羽根２０Ｌ及び右側角度調節羽根２０Ｒに分けて独立に制御している。角度調節羽根２０の分け方はこれに限定されず、さらに細かなグループに分割しても良い。例えば、角度調節羽根２０を４つのグループに分割してもよい。この場合、例えば、角度調節羽根制御部８０は、互いに平面視方向の中央において対向する２つのグループの角度調節羽根２０のみが互いに中央方向に向かって対向するように角度を制御してもよい。
【産業上の利用可能性】
【００９０】
本発明は、壁掛け式空調室内機に有用である。
【符号の説明】
【００９１】
１０        空調室内機
１１        本体ケーシング
１３        室内熱交換器
１４        室内ファン
１５        吹出口
１８        吹出流路
２０        角度調節羽根
２０Ｌ      左側角度調節羽根
２０Ｒ      右側角度調節羽根
３１        水平フラップ
３２        コアンダ羽根
４０        制御部
８０        角度調節羽根制御部
８１        モード受付部
８２        初期設定部
８３        水平フラップ制御部
８４        コアンダ羽根制御部
８６        モード記憶部
８７        初期設定記憶部
１３０      収容部
２０１      羽根片
２０１Ｌ    左側羽根片
２０１Ｒ    右側羽根片
２０３      連結棒
２０３Ｌ    左側連結棒
２０３Ｒ    右側連結棒
【先行技術文献】
【特許文献】
【００９２】
【特許文献１】特開２００９−５８２２０号公報
【図１】
2014105896.tif 000003
【図２】
2014105896.tif 000004
【図３】
2014105896.tif 000005
【図４】
2014105896.tif 000006
【図５】
2014105896.tif 000007
【図６】
2014105896.tif 000008
【図７】
2014105896.tif 000009
【図８】
2014105896.tif 000010
【図９】
2014105896.tif 000011